(57)【特許請求の範囲】
【請求項１】
中間支柱(2)の先端に連結体(1)の基端を取付け、同連結体(1)は、先端に他の中間支柱(2)を取付可能に形成した多段連結可能な支柱において、
前記連結体(1)は、先端円筒部(3)と中間円筒部(5)と基端円筒部(9)とを備え、前記先端円筒部(3)と前記中間円筒部(5)との間の外周面側に、前記他の中間支柱(2)の基端部を当接支持可能な先端側鍔体(4)を形成するとともに、前記中間円筒部(5)と前記基端円筒部(9)との間の外周面側には、前記中間支柱(2)の先端部と当接する基端側鍔体(6)を形成し、
しかも、前記中間円筒部(5)の外周面に取付孔(10)を穿設し、同取付孔(10)にレール(13)やサインボード支持体(25)等の付加部材を接続可能に形成したことを特徴とする多段連結可能な支柱。
【請求項２】
前記連結体(1)と前記付加部材との間に接続体(11)を介設し、同接続体(11)は、前記付加部材と当接する当接面を平面形状に形成したことを特徴とする請求項１記載の多段連結可能な支柱。
【発明の詳細な説明】
【０００１】
【発明の属する技術分野】
本発明は、歩道縁部等に立設してボラード、防護柵用支柱、サインボード用支柱、街灯用支柱等として使用される多段連結可能な支柱に関するものである。
【０００２】
【従来の技術】
従来、歩道縁部等に目的に応じてボラード、防護柵、サインボード、街灯等が設置されており、かかるボラード、防護柵等に用いられる支柱としては、それぞれ独立したものが各種用いられていた。
【０００３】
【発明が解決しようとする課題】
ところが、上記従来のボラード、防護柵等に用いられる支柱にあっては、相互に独立したものを製造する必要があり、支柱の大量生産が行えず、支柱のコストアップを招いていた。
【０００４】
しかも、従来の支柱にあっては、多種多様のものが用いられていたため、都市景観上の美的外観を損なうものであった。
【０００５】
【課題を解決するための手段】
そこで、本発明は、中間支柱の先端に連結体の基端を取付け、同連結体は、先端に他の中間支柱を取付可能に形成した多段連結可能な支柱において、前記連結体は、先端円筒部と中間円筒部と基端円筒部とを備え、前記先端円筒部と前記中間円筒部との間の外周面側に、前記他の中間支柱の基端部を当接支持可能な先端側鍔体を形成するとともに、前記中間円筒部と前記基端円筒部との間の外周面側には、前記中間支柱の先端部と当接する基端側鍔体を形成し、しかも、前記中間円筒部の外周面に取付孔を穿設し、同取付孔にレールやサインボード支持体等の付加部材を接続可能に形成した。
【０００７】
また、前記連結体と付加部材との間に接続体を介設し、同接続体は、付加部材と当接する当接面を平面形状に形成することとした。
【０００８】
【発明の実施の形態】
本発明に係る多段連結可能な支柱は、中間支柱の先端に連結体の基端を取付けており、歩道縁部に中間支柱を立設し、同中間支柱の先端に連結体を取付け、同連結体の先端に蓋体を冠着することにより、ボラードを構成することができ、また、連結体の先端に他の中間支柱を取付けることにより、街灯用支柱等を構成することができるものである。
【０００９】
しかも、連結体の外周面に取付孔を穿設して、同取付孔にレールやサインボード支持体等の付加部材を接続することにより、防護柵やサインボード等を構成することができるものである。
【００１０】
さらに、連結体と付加部材との間に、付加部材と当接する当接面を平面形状に形成した接続体を介設して、連結体にレールやサインボード支持体等の付加部材を強固に固着することができるものである。
【００１１】
従って、同一部材で多種多様な支柱を構成することができ、大量生産が可能となり、支柱の製造コストを減少させることができるとともに、統一感のある都市景観を実現でき、都市景観上の美的外観を良好なものとすることができるものである。
【００１２】
【実施例】
以下に、本発明の実施例について図面を参照しながら説明する。
【００１３】
図１は、本発明に係る多段連結可能な支柱の設置状態を示した図であり、多段連結可能な支柱は、同図左側に示すように、地面Ｇ上の歩道縁部等に中間支柱２を立設し、同中間支柱２の先端に連結体１を取付けるとともに、同連結体１にレール13を連結して防護柵として利用することができ、また、図１右側に示すように、複数の中間支柱２を連結体１を介して多段に連結し、先端に電灯29や看板30等を取付けて街灯やサインボード等として利用することができるものである。
【００１４】
連結体１は、図２及び図４に示すように、略円筒形状に形成しており、基本的に、先端円筒部３と中間円筒部５と基端円筒部９から構成し、先端円筒部３と中間円筒部５との間には、外周面側に先端側鍔体４を形成するとともに、内周面側に先端側段部31を形成し、中間円筒部５と基端円筒部９との間には、外周面側に基端側鍔体６を形成するとともに、内周面側に基端側段部32を形成している。
【００１５】
先端円筒部３には、雌ネジ孔17を穿設して、連結体１の先端に冠着した蓋体16を螺着できるようにしている。
【００１６】
中間円筒部５には、外周面の対向する位置に一対の取付孔10,10 を穿設して、同取付孔10に後述する各種の付加部材を取付けられるようにしている。
【００１７】
先端側鍔体４は、図３に示すように、連結体１を介して中間支柱２を多段連結する際に、連結体１の上部に連結した中間支柱２の基端部を当接支持できるようにしている。
【００１８】
基端側鍔体６は、図２及び図３に示すように、連結体１の下部に連結した中間支柱２の先端部と当接するようにしている。
【００１９】
また、基端側鍔体６には、下面に周溝７を刻設しており、しかも、同周溝７と中間支柱２の先端部との間にシール部材24を介設し、雨等が中間支柱２の内部に浸入するのを防止している。
【００２０】
さらに、周溝７には、突起８を下方に向けて突設し、同突起８を、中間支柱２の先端に形成した凹部2aに係止して、中間支柱２の廻り止めとして機能するようにしている。
【００２１】
先端側段部31には、図２に示すように、押圧板18が覆設され、同押圧板18は、地面Ｇ中に埋設したアンカーボルト19の先端に螺着している。図中、20は取付用ナットである。
【００２２】
連結体１は、上述したように構成しており、図３に示すように、基端円筒部９及び先端円筒部３にそれぞれ中間支柱２を接続することにより、中間支柱２を多段連結することができる。
【００２３】
また、連結体１は、図２左側に示すように、中間円筒部５にレール13を接続体11を介して接続することにより、防護柵を形成することができるとともに、図２右側に示すように、中間円筒部５の取付孔10に蝶番ボルト14を螺着し、同蝶番ボルト14にチェーン15を接続することによっても、防護柵を形成することができる。図中、23は固定用ナットである。
【００２４】
また、連結体１は、図３に示すように、中間円筒部５にサインボード支持体25を接続体11を介して接続し、同サインボード支持体25にサインボードを取付けることにより、サインボード用支柱を形成することができる。尚、図３においては、連結体１の中空部にさや杆26を挿通して多段連結した支柱の強度を増強させている。図中、41は固定用皿ネジである。
【００２５】
接続体11は、図５〜図８に示すように、略円柱形状をしており、上下部後方に平坦面33,34 を形成し、内部に中空部39を形成するとともに、前端面35の内周縁に段部36を形成し、後端面37に透孔38を穿設している。
【００２６】
後端面37は、図２に示すように、連結体１の中間円筒部５に接続体11を装着した際に、中間円筒部５の外周面に当接するように湾曲状に形成している。
【００２７】
一方、前端面35は、図２に示すように、レール13の端部と平面的に当接するように、平面状に形成している。
【００２８】
そのため、図２に示すように、円筒状の連結体１の外周面にレール13の平面状の端部を強固に固着することができる。図中、12は円筒状のレールコネクタであり、同レールコネクタ12の後端面縁部を段部36に当接させ、固定用ボルト21及び固定用ナット22により、連結体１に接続体11及びレールコネクタ12を固着している。
【００２９】
また、同様にして、図３に示すように、円筒状の連結体１の外周面にサインボード支持体25の平面状の裏面を強固に固着することができる。図中、40は固定用ボルトである。
【００３０】
【発明の効果】
本発明は、以上説明してきたような形態で実施され、以下に記載されるような効果を奏する。
【００３１】
すなわち、本発明では、中間支柱の先端に連結体の基端を取付け、同連結体は、先端に他の中間支柱を取付可能に形成した多段連結可能な支柱において、前記連結体は、先端円筒部と中間円筒部と基端円筒部とを備え、前記先端円筒部と前記中間円筒部との間の外周面側に、前記他の中間支柱の基端部を当接支持可能な先端側鍔体を形成するとともに、前記中間円筒部と前記基端円筒部との間の外周面側には、前記中間支柱の先端部と当接する基端側鍔体を形成し、しかも、前記中間円筒部の外周面に取付孔を穿設し、同取付孔にレールやサインボード支持体等の付加部材を接続可能に形成している。このように、中間支柱の先端に連結体の基端を取付け、同連結体は、先端に他の中間支柱を取付可能に形成したため、歩道縁部に中間支柱を立設し、同中間支柱の先端に連結体を取付け、同連結体の先端に蓋体を冠着することにより、ボラードを構成することができ、また、連結体の先端に他の中間支柱を取付けることにより、街灯用支柱等を構成することができる。
【００３２】
しかも、前記連結体の中間円筒部の外周面に取付孔を穿設したため、同取付孔にレールやサインボード支持体等の付加部材を接続することができ、防護柵やサインボード等を構成することができる。
【００３３】
さらに、連結体と付加部材との間に接続体を介設し、同接続体は、付加部材と当接する当接面を平面形状に形成したため、連結体にレールやサインボード支持体等の付加部材を強固に固着することができる。
【００３４】
従って、同一部材で多種多様な支柱を構成することができるため、大量生産が可能となり、支柱の製造コストを減少させることができる。
【００３５】
また、同一部材で多種多様な支柱を構成することができるため、統一感のある都市景観を実現でき、都市景観上の美的外観を良好なものとすることができる。
【図面の簡単な説明】
【図１】本発明に係る多段連結可能な支柱の設置状態を示す説明図。
【図２】連結体の取付構造を示す側面断面図。
【図３】同側面断面図。
【図４】連結体の斜視図。
【図５】接続体の側面図。
【図６】同正面図。
【図７】同背面図。
【図８】同平面図。
【符号の説明】
１  連結体
２  中間支柱
３  先端円筒部
５  中間円筒部
９  基端円筒部
10  取付孔
11  接続体
【図１】
0003754162.tif 000002
【図２】
0003754162.tif 000003
【図３】
0003754162.tif 000004
【図４】
0003754162.tif 000005
【図５】
0003754162.tif 000006
【図６】
0003754162.tif 000007
【図７】
0003754162.tif 000008
【図８】
0003754162.tif 000009